(57)【要約】【課題】  ドアガードの不正な開錠を適正に防止する。【解決手段】  扉８又は出入口枠１１のいずれか一方に枢軸９を介し回動可能に連結されたアーム１０と、出入口枠又は扉のいずれか一方に取り付けられた突起１２とを備え、アームには、閉扉状態でのアームの回動により突起が挿脱する挿脱孔１８と、開扉時に突起を案内する案内溝１９とが設けられる。挿脱孔に突起が挿入された施錠位置から挿脱孔より突起が離脱した開錠位置へのアームの回動を阻止する回動阻止手段２１，２２ａと、施錠状態におけるアームのスライドを可能にするスライド案内手段２１，２２ａと、施錠位置から開錠位置へのアームの回動を案内する回動案内手段２１，２２ｂとが設けられ、スライド案内手段によるアームのスライドから回動阻止手段による回動阻止の解除を経て回動案内手段によるアームの開錠位置への回動を許容する。【選択図】  図７
2005133374.tif 000002
【特許請求の範囲】
【請求項１】
扉又は出入口枠のいずれか一方に枢軸を介し回動可能に連結されたアームと、出入口枠又は扉のいずれか一方に取り付けられた突起とを備え、アームには、閉扉状態でのアームの回動により突起が挿脱する挿脱孔と、開扉時に突起を案内する案内溝とが設けられたドアガードにおいて、挿脱孔に突起が挿入された施錠位置から挿脱孔より突起が離脱した開錠位置へのアームの回動を阻止する回動阻止手段と、施錠状態におけるアームのスライドを可能にするスライド案内手段と、施錠位置から開錠位置へのアームの回動を案内する回動案内手段とが設けられ、スライド案内手段によるアームのスライドから回動阻止手段による回動阻止の解除を経て回動案内手段によるアームの開錠位置への回動を許容するようにしたことを特徴とするドアガード。
【請求項２】
請求項１に記載のドアガードにおいて、回動阻止手段とスライド案内手段と回動案内手段とが、各手段に共通の凸部とこの凸部が係合する互いに連通した係合溝とを有し、係合溝は、凸部との係合により施錠位置から開錠位置へのアームの回動を阻止し、施錠状態におけるアームのスライドの際凸部を案内し、アームのスライド後凸部を案内してアームの開錠位置への回動を許容するように形成されたことを特徴とするドアガード。
【請求項３】
請求項２に記載のドアガードにおいて、係合溝が、枢軸に交差するように伸びる第一の溝部と、第一の溝部の一端から枢軸を中心に湾曲して伸びる第二の溝部とを備えたことを特徴とするドアガード。
【発明の詳細な説明】
【技術分野】
【０００１】
本発明は、ドアガードに関する。
【背景技術】
【０００２】
図１２及び図１３に示すように、ドアガードは、扉１に枢軸２を介し回動可能に連結されたアーム３と、出入口枠４に固定された突起５とを備え、アーム３には、閉扉状態でのアーム３の回動操作に伴い突起５に挿脱する挿脱孔６と、開扉時に突起５をストップ位置まで案内する案内溝７とが設けられる。
【０００３】
ドアガードを施錠するには、閉扉状態でアーム３を扉１の内表面上で起立させ、挿脱孔６内に突起５を侵入させる。この状態で扉１を開けると、アーム３の案内溝７が突起５上をストップ位置までスライドする。これにより、扉１は半開き状態になり、それ以上開かない。また、半開き状態の扉１を閉じると、アーム３はストップ位置から逆方向にスライドし、挿脱孔６内に突起５が到達したところで停止する。そこで、アーム３を扉１の内表面へと倒すと、挿脱孔６から突起５が離脱し、ドアガードが開錠され、扉１は開閉自在になる（例えば、特許文献１参照。）。
【特許文献１】実開平２−４７３６９号公報
【発明の開示】
【発明が解決しようとする課題】
【０００４】
ところが、従来のドアガードによれば、図１２に示すように扉１が少し開いた状態においては施錠状態のアーム３を倒してその挿脱孔６から突起５を離脱させ、ドアガードを不正に開錠することが可能であるという問題がある。
【０００５】
したがって、本発明は上記不具合を解消することができるドアガードを提供することを目的とする。
【課題を解決するための手段】
【０００６】
上記課題を解決するため、請求項１に係る発明は、扉（８）又は出入口枠（１１）のいずれか一方に枢軸（９）を介し回動可能に連結されたアーム（１０）と、出入口枠（１１）又は扉（８）のいずれか一方に取り付けられた突起（１２）とを備え、アーム（１０）には、閉扉状態でのアーム（１０）の回動により突起（１２）が挿脱する挿脱孔（１８）と、開扉時に突起（１２）を案内する案内溝（１９）とが設けられたドアガードにおいて、挿脱孔（１８）に突起（１２）が挿入された施錠位置から挿脱孔（１８）より突起（１２）が離脱した開錠位置へのアーム（１０）の回動を阻止する回動阻止手段と、施錠状態におけるアーム（１０）のスライドを可能にするスライド案内手段と、施錠位置から開錠位置へのアーム（１０）の回動を案内する回動案内手段とが設けられ、スライド案内手段によるアーム（１０）のスライドから回動阻止手段による回動阻止の解除を経て回動案内手段によるアーム（１０）の開錠位置への回動を許容するようにしたドアガードを採用する。
【０００７】
また、請求項２に係る発明は、請求項１に記載のドアガードにおいて、回動阻止手段とスライド案内手段と回動案内手段とが、各手段に共通の凸部（２１）とこの凸部（２１）が係合する互いに連通した係合溝（２２）とを有し、係合溝（２２）は、凸部（２１）との係合により施錠位置から開錠位置へのアーム（１０）の回動を阻止し、施錠状態におけるアーム（１０）のスライドの際凸部（２１）を案内し、アーム（１０）のスライド後凸部（２１）を案内してアーム（１０）の開錠位置への回動を許容するように形成されたドアガードを採用する。
【０００８】
また、請求項３に係る発明は、請求項２に記載のドアガードにおいて、係合溝（２２）が、枢軸（９）に交差するように伸びる第一の溝部（２２ａ）と、第一の溝部（２２ａ）の一端から枢軸（９）を中心に湾曲して伸びる第二の溝部（２２ｂ）とを備えたドアガードを採用する。
【発明の効果】
【０００９】
請求項１に係る発明によれば、扉（８）又は出入口枠（１１）のいずれか一方に枢軸（９）を介し回動可能に連結されたアーム（１０）と、出入口枠（１１）又は扉（８）のいずれか一方に取り付けられた突起（１２）とを備え、アーム（１０）には、閉扉状態でのアーム（１０）の回動により突起（１２）が挿脱する挿脱孔（１８）と、開扉時に突起（１２）を案内する案内溝（１９）とが設けられたドアガードにおいて、挿脱孔（１８）に突起（１２）が挿入された施錠位置から挿脱孔より突起（１２）が離脱した開錠位置へのアーム（１０）の回動を阻止する回動阻止手段と、施錠状態におけるアーム（１０）のスライドを可能にするスライド案内手段と、施錠位置から開錠位置へのアーム（１０）の回動を案内する回動案内手段とが設けられ、スライド案内手段によるアーム（１０）のスライドから回動阻止手段による回動阻止の解除を経て回動案内手段によるアーム（１０）の開錠位置への回動を許容するようにしたことから、ドアガードが施錠状態にある場合は回動阻止手段によりアーム（１０）の回動が阻止されるので不正な開錠が防止され、また、施錠状態から開錠状態に変更するには、アーム（１０）をスライド案内手段によってスライドさせた後でなければ回動案内手段による開錠位置への回動が許容されないので、ドアガードの不正な解除が適正に防止される。
【００１０】
請求項２に係る発明によれば、請求項１に記載のドアガードにおいて、回動阻止手段とスライド案内手段と回動案内手段とが、各手段に共通の凸部（２１）とこの凸部（２１）が係合する互いに連通した係合溝（２２）とを有し、係合溝（２２）は、凸部（２１）との係合により施錠位置から開錠位置へのアーム（１０）の回動を阻止し、施錠状態におけるアーム（１０）のスライドの際凸部（２１）を案内し、アーム（１０）のスライド後凸部（２１）を案内してアーム（１０）の開錠位置への回動を許容するように形成されたことから、回動阻止手段とスライド案内手段と回動案内手段の構造ひいてはドアガードの構造が小型簡素化される。
【００１１】
請求項３に係る発明によれば、請求項２に記載のドアガードにおいて、係合溝（２２）が、枢軸（９）に交差するように伸びる第一の溝部（２２ａ）と、第一の溝部（２２ａ）の一端から枢軸（９）を中心に湾曲して伸びる第二の溝部（２２ｂ）とを備えたことから、係合溝（２２）の構造が簡素化され、簡易に加工することができる。
【発明を実施するための最良の形態】
【００１２】
以下、図面を参照して発明を実施するための最良の形態について説明する。
【００１３】
＜実施の形態１＞
図１に示すように、このドアガードは、外開き用の扉８に枢軸９を介し起倒可能すなわち回動可能に連結されたアーム１０と、出入口枠１１に取り付けられた係止部材である突起１２とを備える。
【００１４】
アーム１０は金属材料等により形成されたＵ字形部材であり、図１及び図２に示すように、平行に伸びる二本のレール１０ａ，１０ｂと、二本のレール１０ａ，１０ｂの一端を閉じる閉止片１０ｃとを具備する。アーム１０は、二本のレール１０ａ，１０ｂが上下になって水平に伸びるように扉８の内表面８ａ上に配置される。
【００１５】
図１及び図２に示すように、上記枢軸９は扉８に固定されるブラケット１３で支持される。すなわち、扉８の内表面８ａにブラケット１３が止めネジ１４により固定され、このブラケット１３の上下の腕片１３ａ，１３ｂにアーム１０の二本のレール１０ａ，１０ｂの他端に通された枢軸９が垂直に通され支持される。これにより、アーム１０は枢軸９を支点にして水平面上で回動可能となり、扉８の内表面８ａ上において起倒可能である。
【００１６】
図１及び図２に示すように、ブラケット１３とアーム１０との間には、クリックストップ機構がアーム１０の位置決めのために設けられる。クリックストップ機構はブラケット１３側に弾性体である圧縮コイルバネ１５を介し埋設されたスライド片１６と、スライド片１６に当接するアーム１０側に多角形状に形成された複数個の当接面１７ａ，１７ｂ，１７ｃとで構成される。図１乃至図４に示すように、スライド片１６は、枢軸９及び扉８の内表面８ａに垂直な方向にスライド可能に、ブラケット１３に形成されたガイド孔１３ｃ内に圧縮コイルバネ１５の上から挿入される。これにより、アーム１０は図７（Ａ）（Ｂ）、図８（Ｃ）（Ｄ）のように扉８に対し所定角度ごとに複数の位置及び姿勢で停止する。
【００１７】
図１及び図２示すように、アーム１０には、閉扉状態でのアーム１０の回動により突起１２が挿脱する挿脱孔１８と、開扉時に突起１２上をストップ位置までスライドする上記挿脱孔１８に連なる案内溝１９とが設けられる。
【００１８】
挿脱孔１８は、アーム１０の上記ブラケット１３側に形成される。具体的にはアーム１０における二本のレール１０ａ，１０ｂ間であってブラケット１３側に寄った箇所に形成される。この挿脱孔１８に対し突起１２の膨出した頭部１２ａが出入り可能である。
【００１９】
案内溝１９は、アーム１０の二本のレール１０ａ，１０ｂ間に挿脱孔１８から閉止片１０ｃに向かって伸びるように形成され、挿脱孔１８よりも小さい幅で形成される。
【００２０】
図１に示すように、突起１２は出入口枠１１から扉８の内表面８ａに沿うように突出し、その先端には頭部１２ａが膨出形成される。頭部１２ａは挿脱孔１８の開口よりも小さく、閉扉状態においてアーム１０を扉８の内表面８ａ上で起こし又は倒すと、アーム１０の挿脱孔１８に入り込み又は離脱する。また、頭部１２ａは案内溝１９の幅よりも大きく、突起１２が案内溝１９内に入った後はアーム１０の扉８上での倒動作は不能になる。
【００２１】
このドアガードは、例えば扉８の僅少開状態において施錠状態のアーム１０を倒しその挿脱孔１８から突起１２を離脱させ不正に開錠状態にするのを防止するため、図１及び図７（Ａ）に示す挿脱孔１８に突起１２が挿入された施錠位置から図８（Ｄ）に示す挿脱孔１８より突起１２が離脱した開錠位置へのアーム１０の回動を阻止する回動阻止手段と、図７（Ｂ）に示す如く施錠状態におけるアーム１０のスライドを可能にするスライド案内手段と、図８（Ｃ）に示す如く施錠位置から開錠位置へのアーム１０の回動を案内する回動案内手段とを備え、スライド案内手段によるアーム１０のスライドから回動阻止手段による回動阻止の解除を経て回動案内手段によるアーム１０の開錠位置への回動を許容するようになっている。
【００２２】
スライド案内手段は、図１及び図７（Ａ）に示す施錠状態におけるアーム１０を枢軸９及び扉８の内表面８ａに垂直な方向に案内するためのもので、図２（Ａ）及び図４に示すようにブラケット１３の腕片１３ａ，１３ｂに形成される長孔２０を備える。長孔２０は枢軸９及び扉８の内表面８ａに垂直な方向に伸び、この長孔２０内にアーム１０に取り付けられた枢軸９が挿入される。アーム１０を図１及び図２（Ａ）の施錠位置から扉８の内表面８ａの方へとクリックストップ機構の圧縮コイルバネ１５による付勢力に抗して押すと、枢軸９が長孔２０内を滑ることによりアーム１０が扉８の内表面８ａの方へとスライドする。なお、ブラケット１３の長孔２０はアーム１０側に形成し、枢軸９をブラケット１３側に固定し、アーム１０を枢軸９上で滑らせるようにしても同様な機能を得ることができる。
【００２３】
図２乃至図５に示すように、スライド案内手段は、回動阻止手段及び回動案内手段と共に、共通の凸部２１とこの凸部２１が係合する互いに連通した係合溝２２とを備える。
【００２４】
凸部２１は、図２乃至図４に示すように、ブラケット１３の腕片１３ａ，１３ｂにおけるアーム１０に対向する対向面上に突設され、係合溝２２は、図５に示すようにアーム１０におけるブラケット１３の腕片１３ａ，１３ｂに対向する対向面上に形成される。これらの対向面は枢軸９に垂直に延びる。もちろん、凸部２１と係合溝２２は腕片１３ａ，１３ｂとアーム１０との間で入れ替えてもよい。
【００２５】
係合溝２２は、凸部２１との係合により図１及び図７（Ａ）に示す施錠位置から図８（Ｄ）に示す開錠位置へのアーム１０の回動を阻止し、図７（Ｂ）のように施錠状態におけるアーム１０のスライドの際凸部２１を案内し、アーム１０のスライド後図８（Ｃ）（Ｄ）のように凸部２１を案内してアーム１０の開錠位置への回動を許容するように形成される。
【００２６】
係合溝２２は、望ましくは図５、図７及び図８に示すように、枢軸９に交差するように伸びる第一の溝部２２ａと、第一の溝部２２ａの一端から枢軸９を中心に湾曲して伸びる第二の溝部２２ｂとを備える。
【００２７】
第一の溝部２２ａはアーム１０が施錠位置にあるときに枢軸９に交差して扉８の内表面８ａ及びクリックストップ機構の一つの当接面１７ａに垂直な方向に伸びるように形成される。また、第一の溝部２２ａは、図７（Ａ）に示すように、アーム１０が圧縮コイルバネ１５による付勢力で枢軸９が長孔２０の端までスライドした施錠状態あるときに第二の溝部２２ｂとの隣接箇所において凸部２１を拘束するように形成される。
【００２８】
第二の溝部２２ｂの一端は、図７（Ｂ）に示すように、アーム１０を施錠状態において扉８の方へとスライドさせたときに凸部２１が第一の溝部２２ａからこの第二の溝部２２ｂ内に侵入しうるように形成される。また、第二の溝部２２ｂの他端は、図５に示すように、アーム１０の表面に通じるが、図８（Ｄ）に示すように、アーム１０を扉８の内表面８ａ上に倒し開錠位置へと移動させた場合においても凸部２１が係合溝２２外に離脱しないように形成される。
【００２９】
その他、このドアガードでは図１、図２（Ａ）及び図６に示すような枢軸９の取り付け構造が採用される。すなわち、図１２及び図１３に示す従来の取り付け構造は、枢軸２に形成した環状溝２ａにＥ型止め輪２３を嵌め込んでアーム３等からの枢軸２の脱落を防止している。ところが、従来はＥ型止め輪２３と枢軸２との間に隙間Ａが形成され、この隙間Ａに工具を挿入することによりＥ型止め輪２３を外し枢軸２をアーム１０等から抜き取られる恐れもある。そこで、このドアガードでは、図１、図２（Ａ）及び図６に示すように、上記隙間Ａが生じないか又は工具を入れることができない程度まで小さくすることができるようなＥ型止め輪２４又はＥ型止め輪２４を嵌め込む環状溝９ａが採用される。この実施の形態ではＥ型止め輪２４の凹縁２４ａが枢軸９の環状溝９ａ内に入り込むようにＥ型止め輪２４又は環状溝９ａが形成されることにより、上記隙間Ａが解消される。
【００３０】
次に、上記構成のドアガードの作用を説明する。
【００３１】
このドアガードは、アーム１０が図１及び図７（Ａ）に示す位置にセットされることにより施錠状態とされる。
【００３２】
この施錠状態において、アーム１０はクリックストップ機構の作用により図１及び図７（Ａ）に示す施錠位置に正確に停止する。そして、図７（Ａ）に示すように、係合溝２２の第一の係合溝部２２ａ内に凸部２１が留まることにより回動阻止機能が働いてアーム１０の回動が阻止され不正な開錠が防止される。
【００３３】
ドアガードが施錠状態にセットされると、扉８は半開き可能となる。扉８を開けるに従い突起１２上をアーム１０の案内溝１９の縁がスライドし、アーム１０のストップ位置となる閉止片１０ｃが突起１２に当接する。これにより、扉８は半開状態となってストップし、それ以上は開かない。
【００３４】
この施錠状態にあるドアガードを開錠するには、アーム１０を持って図７（Ｂ）に示すように扉方向である矢印Ｘ方向に圧縮コイルバネ１５の付勢力に抗するようにスライドさせる。このドアガードのスライド案内機能により、凸部２１が第一の溝部２２ａから第二の溝部２２ｂ内へと移動し、これにより回動阻止機能が解除される。そして、図７（Ｂ）に示すごとくアーム１０を開錠方向である矢印Ｙ方向に押すと、回動案内機能により図８（Ｃ）のごとく第二の溝部２２ｂが凸部２１に沿って滑り、アーム１０が開錠位置へと回動する。
【００３５】
このように、ドアガードを施錠状態から開錠状態に変更するには、アーム１０をスライド案内手段によって枢軸９に垂直な方向に一旦スライドさせた後でなければアーム１０は回動案内手段による開錠位置への回動が許容されないので、ドアガードの不正な解除が適正に防止される。
【００３６】
アーム１０は、クリックストップ機構のスライド片１６と当接面１７ｂとの接触により図８（Ｃ）に示す中間位置に停止させることも可能である。アーム１０がこの位置にある場合、すでに突起１２が挿脱孔１８から離脱しドアガードは開錠状態にある。
【００３７】
図８（Ｄ）に示すように、アーム１０を更に回動させると、凸部２１が第二の溝部２２ｂ内をその終端へと滑って移動し、アーム１０が扉８の内表面８ａ上に略平行に倒れたところでクリックストップ機構のスライド片１６と当接面１７ｃとの接触により停止し、またアーム１０がブラケット１３の一部であるストッパ１３ｃに当たってそれ以上の回動を阻止される。また、凸部２１は第二の溝部２２ｂの終端で停止する。これにより、ドアガードは完全に開錠し、扉８は全開が可能である。
【００３８】
ドアガードを再び施錠状態にするには、図８（Ｄ）から図７（Ａ）へとアーム１０を上記と逆方向に回動させる。これにより、凸部２１が係合溝２２の第二の溝部２２ｂ内を逆向きに滑って移動し、図７（Ｂ）の位置に来たところでアーム１０から手を離すと、圧縮コイルバネ１５の付勢力により図７（Ａ）のごとく元の施錠位置へと自動的に復帰する。そして、この凸部２１が係合溝２２の第一の溝部２２ａ内に嵌った状態でアームの回動を阻止する。
【００３９】
＜実施の形態２＞
図９乃至図１１に示すように、この実施の形態２に係るドアガードは、実施の形態１の場合と同様に、回動阻止手段とスライド案内手段と回動案内手段とが、各手段に共通の凸部２１とこの凸部２１が係合する互いに連通した係合溝２２とを有し、係合溝２２は、凸部２１との係合により施錠位置から開錠位置へのアーム１０の回動を阻止し、施錠状態におけるアーム１０のスライドの際凸部２１を案内し、アーム１０のスライド後凸部２１を案内にしてアーム１０の開錠位置への回動を許容するように形成されるが、次の点で実施の形態１の場合と異なっている。
【００４０】
すなわち、凸部２１がアーム１０の両側から突出する枢軸９の両端に角軸部として形成され、係合溝２２がブラケット１３の腕片１３ａ，１３ｂに角軸部の滑り孔として形成される。また、係合溝２２である滑り孔は、腕片１３ａ，１３ｂの扉８の内表面８ａ（図１参照）寄りの箇所に形成された角軸部の回転を許容する丸孔部２２ｃと、丸孔部２２ｃに連通するように反扉寄りに形成された角軸部を回転しないよう拘束する角孔部２２ｄとを備える。また、枢軸９がアーム１０に対して回転しないようにピン２５で固定される。
【００４１】
次に、この実施の形態２に係るドアガードの作用を説明する。
【００４２】
このドアガードは、アーム１０が図９に示す位置にセットされることにより施錠状態とされる。
【００４３】
この施錠状態において、アーム１０はクリックストップ機構の作用により施錠位置に正確に停止する。そして、図１０中二点鎖線で示すように、係合溝２２の角孔部２２ｄ内に凸部２１である角軸部が留まることにより回動阻止機能が働いてアーム１０の回動が阻止され不正な開錠が防止される。
【００４４】
ドアガードが施錠状態にセットされると、実施の形態１の場合と同様に、扉８は半開き可能となる。扉８を開けるに従い突起１２上をアーム１０の案内溝１９の縁がスライドし、アーム１０のストップ位置となる閉止片１０ｃが突起１２に当接する。これにより、扉８は半開状態となってストップし、それ以上は開かない。
【００４５】
この施錠状態にあるドアガードを開錠するには、アーム１０を持って扉方向に圧縮コイルバネ１５の付勢力に抗するようにスライドさせる。このドアガードのスライド案内機能により、凸部２１が角孔部２２ｄから丸孔部２２ｃ内へと移動し、これにより回動阻止機能が解除される。そして、アーム１０を開錠方向に押すと、回動案内機能により凸部２１である角軸部が丸孔部２２ｃに沿うように滑って回転し、アーム１０が開錠位置へと回動する。
【００４６】
このように、ドアガードを施錠状態から開錠状態に変更するには、アーム１０をスライド案内手段によって枢軸９に垂直な方向に一旦スライドさせた後でなければアーム１０は回動案内手段による開錠位置への回動が許容されないので、ドアガードの不正な解除が適正に防止される。
【００４７】
以上本発明の好ましい実施の形態について説明したが、本発明はこれらの実施の形態に限定されるものではない。
【００４８】
特に上記各実施の形態では、扉にアームを取り付け、出入口枠に突起を取り付けた外開き扉用のドアガードについて説明したが、扉に突起を取り付け、出入口枠にアームを取り付けた内開き扉用のドアガードについても本発明を適用可能である。
【図面の簡単な説明】
【００４９】
【図１】本発明の実施の形態１に係るドアガードを施錠状態で示す部分切欠平面図である。
【図２】ドアガードのアーム及びブラケットを示し、（Ａ）は施錠状態の部分切欠正面図、（Ｂ）は開錠状態の正面図である。
【図３】ブラケットの正面図である。
【図４】図３中、ＩＶ−ＩＶ線矢視断面図である。
【図５】アームの側面図である。
【図６】図１中、部分拡大図である。
【図７】ドアガードの作用を説明する図であり、（Ａ）は施錠完了、（Ｂ）はスライド完了をそれぞれ示す。
【図８】ドアガードの作用を説明する図であり、（Ｃ）は開錠途中、（Ｄ）は開錠完了をそれぞれ示す。
【図９】本発明の実施の形態２に係るドアガードのアーム及びブラケットを施錠状態で示す部分切欠正面図である。
【図１０】図９に示すブラケットの腕片における断面図である。
【図１１】アームと枢軸の側面図である。
【図１２】従来のドアガードを施錠状態で示す部分切欠平面図である。
【図１３】図９中、部分拡大図である。
【符号の説明】
【００５０】
８…扉
９…枢軸
１０…アーム
１１…出入口枠
１２…突起
１８…挿脱孔
１９…案内溝
２１…凸部
２２…係合溝
２２ａ…第一の溝部
２２ｂ…第二の溝部
【図１】
2005133374.tif 000003
【図２】
2005133374.tif 000004
【図３】
2005133374.tif 000005
【図４】
2005133374.tif 000006
【図５】
2005133374.tif 000007
【図６】
2005133374.tif 000008
【図７】
2005133374.tif 000009
【図８】
2005133374.tif 000010
【図９】
2005133374.tif 000011
【図１０】
2005133374.tif 000012
【図１１】
2005133374.tif 000013
【図１２】
2005133374.tif 000014
【図１３】
2005133374.tif 000015
【手続補正書】
【提出日】平成15年11月4日(2003.11.4)
【手続補正１】
【補正対象書類名】図面
【補正対象項目名】図９
【補正方法】変更
【補正の内容】
【図９】
2005133374.tif 000016